(57)【要約】【課題】  浚渫時の水質汚濁が少なく、作業効率のよい浚渫装置及び浚渫方法を提供する。【解決手段】  ケーシング管１０の下端内部に、掘削機２１と、サンドポンプ２２と、送泥ホース２３とからなる浚渫部２０を設ける浚渫装置である。ケーシング管１０を水底３０に載置し、ケーシング管１０内で水底３０を掘削するので、掘削機２１やサンドポンプ２２に、浚渫によって除去された部位へ土砂とともに流入してくる沈木や流木等の障害物が絡まる恐れがなく、連続して浚渫作業を行うことができる。また、水底３０の掘削時に周囲の水質が汚濁されることを防ぐことができる。【選択図】        図１
2005030136.tif 000002
【特許請求の範囲】
【請求項１】
ケーシング管の下端内部に、掘削機と、サンドポンプと、送泥ホースとからなる浚渫部を設けることを特徴とする浚渫装置。
【請求項２】
ケーシング管を水底に載置し、次いでケーシング管内で水底を掘削するとともに、掘削した土砂を水上に排出することを特徴とする浚渫方法。
【発明の詳細な説明】
【技術分野】
【０００１】
本発明は、河川やダム、海等の堆積土砂を浚渫する浚渫装置及び浚渫方法に関する。
【背景技術】
【０００２】
河川やダム、海等の堆積土砂を浚渫する方法としては、ポンプ船やグラブ船、バケット船、ディッパ船等を用いて行う一般浚渫や、一般浚渫では施工困難な固い地盤を砕岩船あるいは火薬を用いて破砕した後に一般浚渫を行う方法等がある（例えば、非特許文献１参照）。
【０００３】
従来のダム浚渫では、水深が深い場合はグラブ船を用い、水深１０ｍ程度までの浅い場合にはポンプ船を用いていた。また、水深５ｍ程度までの浅瀬であれば、バックホウを用いて掘削するバックホウ浚渫船を用いて浚渫を行っていた。
【０００４】
ポンプ船による浚渫は、水底の土砂をカッター等の掘削機で切り崩し、排砂管を通じてストックヤードや埋立地に排土するもので、ポンプ自体はヘドロや砂質土等の比較的やわらかい土砂が対象であり、Ｎ値で１０以上の土砂を浚渫する場合は、別途カッター装置を併用して行うことが多い。ポンプ浚渫は、連続的な浚渫ができ作業能率が高い等の利点を有している。
【０００５】
また、グラブ船はグラブバケットで土砂を掘削する浚渫船であって、大水深の浚渫が可能であり、軟泥から硬土盤までの土質に対応できる。例えば図２に示すように、グラブ船１により浚渫された土砂は、処理プラント船２で砂礫、粘土、沈木、雑多ゴミ等に分別した後に、土運船３により岸まで運搬され、岸からトラック４等で処分場へ運搬される。グラブ船１を用いた浚渫方法は、土砂を土運船３により運搬するので、排土する距離が非常に長く、ポンプ船が適用できない場合などに用いることができる。
【非特許文献１】土木学会編，「土木工学ハンドブックII」，第四版，技報堂出版，１９８９年１１月１８日，ｐ．１６２６−１６２７、１８２２
【発明の開示】
【発明が解決しようとする課題】
【０００６】
しかし、ポンプで吸引する方法では、水底の表層の土砂に含まれる沈木や流木等のゴミ等の障害物が掘削機やポンプに絡まり、作業を中止して障害物を取り除く必要があった。
【０００７】
また、グラブ船を用いて浚渫する場合には、掘削した土砂をグラブバケットごと水上まで持ち上げて排土するため、グラブの昇降に時間を要し、連続的な浚渫ができず、特に大水深の場合は作業能率が低かった。また、グラブバケットを持ち上げる際に、グラブからこぼれ出た土砂が周辺水と混じり、水質汚濁を防止するための措置をとらなければならなかった。
【０００８】
本発明の課題は、浚渫時の水質汚濁が少なく、かつ作業効率のよい浚渫装置及び浚渫方法を提供することである。
【課題を解決するための手段】
【０００９】
以上の課題を解決するため、請求項１に記載の発明は、浚渫装置であって、例えば図１に示すように、ケーシング管１０の下端内部に、掘削機２１と、サンドポンプ２２と、送泥ホース２３とからなる浚渫部２０を設けることを特徴とする。
【００１０】
請求項１に記載の発明によれば、ケーシング管１０を水底３０に載置し、ケーシング管１０に囲まれた部分で浚渫作業を行うことで、掘削機２１やサンドポンプ２２に、浚渫によって除去された部位へ土砂とともに流入してくる沈木や流木等の障害物が絡まる恐れがなく、連続して浚渫作業を行うことができる。また、水底３０の掘削時に周囲の水質が汚濁されることを防ぐことができる。
【００１１】
請求項２に記載の発明は、浚渫方法であって、ケーシング管１０を水底３０に載置し、次いでケーシング管１０内で水底３０を掘削するとともに、掘削した土砂を水上に排出することを特徴とする。
【００１２】
請求項２に記載の発明によれば、ケーシング管１０を水底３０に載置し、ケーシング管１０内で水底３０を掘削するので、掘削機２１やサンドポンプ２２に、浚渫によって除去された部位へ土砂とともに流入してくる沈木や流木等の障害物が絡まる恐れがなく、連続して浚渫作業を行うことができる。また、水底３０の掘削時に周囲の水質が汚濁されることを防ぐことができる。
【発明の効果】
【００１３】
請求項１に記載の発明によれば、ケーシング管を水底に載置し、ケーシング管に囲まれた部分で浚渫作業を行うことで、掘削機やサンドポンプに、浚渫によって除去された部位へ土砂とともに流入してくる沈木や流木等の障害物が絡まる恐れがなく、連続して浚渫作業を行うことができる。また、水底の掘削時に周囲の水質が汚濁されることを防ぐことができる。
【００１４】
請求項２に記載の発明によれば、ケーシング管を水底に載置し、ケーシング管内で水底を掘削するので、掘削機やサンドポンプに、浚渫によって除去された部位へ土砂とともに流入してくる沈木や流木等の障害物が絡まる恐れがなく、連続して浚渫作業を行うことができる。また、水底の掘削時に周囲の水質が汚濁されることを防ぐことができる。
【発明を実施するための最良の形態】
【００１５】
以下、図を参照して本発明の実施の形態を詳細に説明する。本発明の浚渫装置は、図１に示すように、ケーシング管１０と、浚渫部２０とからなる。
【００１６】
ケーシング管１０は水底３０に載置され、周囲の土砂や、沈木等の障害物が内部に入ることを防ぐ。ケーシング管１０の上端には吊り下げワイヤー１１が取り付けられており、水上のクレーン等により吊り下げられている。
【００１７】
浚渫部２０は、ケーシング管１０下端付近の内部に設けられており、掘削機２１と、サンドポンプ２２と、送泥ホース２３とからなる。
【００１８】
掘削機２１はサンドポンプ２２の両側部に設けられており、下端の刃で水底３０を掘削する。
【００１９】
サンドポンプ２２は、送泥ホース２３の下端に設けられており、掘削機２１で掘削された土砂を吸引する。
【００２０】
送泥ホース２３は、上端が水上にあり、サンドポンプ２２で吸引された土砂を水上に排出する。
【００２１】
次に、本発明の浚渫方法について説明する。まずケーシング管１０を下ろし、水底３０に載置する。次に、浚渫部２０で水底３０を掘削し、掘削した土砂を水上に排出する。
【００２２】
水底３０を掘削すると、浚渫装置は自重で水底３０に沈むので、さらに上記操作を続け、予め計画していた所定の深さまで浚渫する。
【００２３】
所定の深さまで浚渫したら、浚渫装置を水底３０から引き抜いて水平方向に移動し、水底３０の他の位置に載置する。以上の操作を繰り返して水底３０を所定の深さまで一様に浚渫する。
【００２４】
本発明の浚渫方法によれば、水底３０にケーシング管１０を載置してから、ケーシング管１０内を掘削し、掘削した土砂を排出するので、掘削機２１やサンドポンプ２２に沈木や流木等の障害物が絡まる恐れがなく、連続して浚渫作業を行うことができる。また、水底３０の掘削時に周囲の水質が汚濁されることを防ぐことができる。
【００２５】
なお、本実施の形態では、掘削機２１で水底３０を掘削し、掘削した土砂をサンドポンプ２２及び送泥ホース２３で排出することとしたが、本発明はこれに限定されるものではなく、例えばグラブバケットで掘削し、排出しても良い。またケーシング管１０の断面形状も円形や方形等、任意の形状とすることができる。その他、具体的な細部構造等についても適宜に変更可能であることは勿論である。
【図面の簡単な説明】
【００２６】
【図１】本発明の実施の形態を示す立面図である。
【図２】従来の浚渫方法を示す模式図である。
【符号の説明】
【００２７】
１０  ケーシング管
１１  吊り下げワイヤー
２０  浚渫部
２１  掘削機
２２  サンドポンプ
２３  送泥ホース
３０  水底
【図１】
2005030136.tif 000003
【図２】
2005030136.tif 000004